(57)【要約】本発明の目的は、歯肉（または歯列及び歯肉）を均一に擦過刺激できるマウスピースを提供することである。本発明は、歯列を被覆するための熱可塑性樹脂トレーと、歯肉に対して擦過刺激を与えるための擦過刺激シートとを積層してなることを特徴とする複層マウスピースである。擦過刺激シートは発泡樹脂又は不織布から構成されることが好ましく、さらに好ましくは連続気泡を有する発泡樹脂、特に好ましくは発泡メラミン樹脂から構成されることである。熱可塑性樹脂はエチレン−酢酸ビニル共重合体（ＥＶＡ）が好ましい。
2012153765.tif 000002
【特許請求の範囲】
【請求項１】
歯列を被覆するための熱可塑性樹脂トレーと、
歯肉に対して擦過刺激を与えるための擦過刺激シートと
を積層してなることを特徴とする複層マウスピース。
【請求項２】
擦過刺激シートが発泡樹脂又は不織布から構成される請求項１に記載の複層マウスピース。
【請求項３】
擦過刺激シートが連続気泡を有する発泡樹脂から構成される請求項１に記載の複層マウスピース。
【請求項４】
発泡樹脂が発泡メラミン樹脂、発泡ウレタン、発泡ポリオレフィン又は発泡ポリビルアルコールである請求項３に記載の複層マウスピース。
【請求項５】
熱可塑性樹脂がエチレン−酢酸ビニル共重合体（ＥＶＡ）である請求項１〜４のいずれかに記載の複層マウスピース。
【請求項６】
歯の欠損に対応して、熱可塑性樹脂トレーに人工歯を配してなる請求項１〜５のいずれかに記載の複層マウスピース。
【請求項７】
人工歯がエチレン−酢酸ビニル共重合体（ＥＶＡ）製である請求項６に記載の複層マウスピース。
【請求項８】
擦過刺激シートに薬剤を含ませて、ドラッグ・リテーナー用とした請求項１〜７のいずれかに記載の複層マウスピース。
【請求項９】
要介護者のリハビリテーション用である請求項１〜８のいずれかに記載の複層マウスピース。
【請求項１０】
上顎の歯列を被覆するための熱可塑性樹脂トレーと、下顎の歯列を被覆するための熱可塑性樹脂トレーとが接合して構成される請求項１〜９のいずれかに記載の複層マウスピース。
【請求項１１】
熱可塑性樹脂トレーの歯列側に突起を設けた請求項１〜１０のいずれかに記載の複層マウスピース。
【請求項１２】
突起が歯肉及び／又は歯列を直接擦過刺激できるように擦過刺激シートを貫通して設けられた請求項１１に記載の複層マウスピース。
【請求項１３】
突起が歯間乳頭を擦過刺激できるように配された請求項１１又は１２に記載の複層マウスピース。
【請求項１４】
請求項１〜１３のいずれかに記載された複層マウスピースを製造する方法であって、
印象採得して石膏模型を調製する工程と、
擦過刺激シートと熱可塑性樹脂シートとを擦過刺激シートが石膏模型に接触するようにして石膏模型に覆い被せて加熱・加圧成形する工程とを含むことを特徴とする複層マウスピースの製造方法。
【請求項１５】
加熱・加圧成形する工程が、
あらかじめ熱可塑性樹脂シートの加熱面をヒーターで軟化温度まで加熱した後、
石膏模型に覆い被せた擦過刺激シートに熱可塑性樹脂シートの加熱面が接触するようにして、熱可塑性樹脂シートを石膏模型に覆い被せて加圧成形する工程である請求項１４に記載の複層マウスピースの製造方法。
【請求項１６】
加熱・加圧成形する工程が、
あらかじめ熱可塑性樹脂シートの加熱面をヒーターで軟化温度まで加熱し、この加熱面に擦過刺激シートを重ね合わせ加圧して複層シートを調製した後、
複層シートの擦過刺激シート側が石膏模型に接触するようにして、複層シートを石膏模型に覆い被せて加熱・加圧成形する工程である請求項１４に記載の複層マウスピースの製造方法。
【請求項１７】
印象採得して石膏模型を調製する工程が、
印象採得した型の歯肉部分を削って、歯列がより多くむき出しになるようにして石膏模型を調製する工程である請求項１４〜１６のいずれかに記載の複層マウスピースの製造方法。
【請求項１８】
熱可塑性樹脂シートとして、突起付き熱可塑性樹脂シートを用いる請求項１４〜１６のいずれかに記載の複層マウスピースの製造方法。
【請求項１９】
加熱・加圧成形する工程に引き続いて、
擦過刺激シート及び熱可塑性樹脂シートに貫通孔をあけた後、
別の熱可塑性樹脂シートを、孔の空いた熱可塑性樹脂シートに重ねて加熱・成形して、
熱可塑性樹脂トレーの歯列側に、歯肉及び／又は歯列を直接擦過刺激できるように擦過刺激シートを貫通する突起を設ける工程を含む請求項１４〜１７のいずれかに記載の複層マウスピースの製造方法。
【請求項２０】
請求項１〜１３のいずれかに記載された複層マウスピースを製造するための製造装置であって、
熱可塑性樹脂シートの加熱面を軟化温度まで加熱するためのヒーターと、
熱可塑性樹脂シートを保持し、熱可塑性樹脂シートの加熱面を反転できる保持アームと、
石膏模型を固定するためのテーブルとを備え、
ヒーター、保持アーム、テーブルの順に、これらが、熱可塑性樹脂シートの加熱面に対して垂直方向に配置され、
保持アームとテーブルとが互いに接近できるように構成されたことを特徴とする製造装置。
【請求項２１】
請求項１〜１３のいずれかに記載された複層マウスピースを製造するための製造装置であって、
熱可塑性樹脂シートの加熱面を軟化温度まで加熱するためのヒーターと、
熱可塑性樹脂シートを保持したまま加熱面に対して平行な仮想平面上を移動できる保持アームと、
石膏模型を固定するためのテーブルとを備え、
保持アームは、ヒーターと対面する仮想平面上の位置と、テーブルと対面する仮想平面上の位置との間を移動でき、
テーブルと対面する仮想平面上の位置において、保持アームとテーブルとが互いに接近できるように構成されたことを特徴とする製造装置。
【請求項２２】
請求項１〜１３のいずれかに記載された複層マウスピースを製造するための擦過刺激立体シートであって、
擦過刺激シートを予備成型したことを特徴とする擦過刺激立体シート。
【請求項２３】
請求項１〜１３のいずれかに記載された複層マウスピースを製造するための積層シートであって、
熱可塑性樹脂シート及び擦過刺激シートを積層してなることを特徴とする積層シート。
【請求項２４】
請求項２３に記載の積層シートを予備成型したことを特徴とする積層立体シート。
【発明の詳細な説明】
【技術分野】
【０００１】
本発明は複層マウスピース、この製造方法及び製造装置に関する。さらに詳しくは、健常者や要介護者、身体障害者等の細菌やウイルスによる口腔内の感染予防及び治療用として、また、要介護者のリハビリテーション用として好適な複層マウスピース、この製造方法及び製造装置に関する。
【背景技術】
【０００２】
弾性樹脂で成形された棒状体の断面における上下辺が直線状、外側に凸の曲線状または内側に凸の曲線状を呈し、該棒状体の上下面の内の少なくとも一つの面が歯肉で覆われた臼歯部分の無歯顎堤に当接する咬合部と、前記咬合部に連接される把持部と、からなり、前記棒状体の上下辺の中心点間距離が有歯列状態の中心咬合位における上下の顎堤頂間距離に略同じ、または該顎堤頂間距離の略１／２である、ことを特徴とするマウスピース（唾液分泌促進器）が知られている（特許文献１）。
【先行技術文献】
【特許文献】
【０００３】
【特許文献１】特開２０１０−１９４１９６号公報
【発明の概要】
【発明が解決しようとする課題】
【０００４】
しかし、従来のマウスピースでは、前歯及び奥歯からなる上下各歯列の全体で咬合することができず、結果として、歯列（または歯列及び／又は歯肉）に均一に刺激できない場合があるという問題がある。
本発明の目的は、歯肉（または歯列及び歯肉）を均一に擦過刺激できるマウスピースを提供することである。
なお、本発明において、「均一」とは、どの部分にも同じ力が加わるというような厳密な意味での均一性を意味するものではなく、特許文献１に記載された発明に対して、より均一であるという意味である。したがって、「歯肉（あるいは歯列及び歯肉）を均一に擦過刺激できる」とは、歯肉（あるいは歯列及び歯肉）の全体にわたって擦過刺激できることを意味する。
【課題を解決するための手段】
【０００５】
本発明の複層マウスピースの特徴は、歯列を被覆するための熱可塑性樹脂トレーと、
歯肉に対して擦過刺激を与えるための擦過刺激シートと
を積層してなる点を要旨とする。【０００６】
本発明の複層マウスピースの製造方法の特徴は、上記の複層マウスピースを製造する方法であって、
印象採得して石膏模型を調製する工程と、
擦過刺激シートと熱可塑性樹脂トレーとを擦過刺激シートが石膏模型に接触するようにして石膏模型に覆い被せて加熱・加圧成形する工程とを含む点を要旨とする。【０００７】
本発明の製造装置（１）の特徴は、上記の複層マウスピースを製造するための製造装置であって、
熱可塑性樹脂シートの加熱面を軟化温度まで加熱するためのヒーターと、
熱可塑性樹脂シートを保持し、熱可塑性樹脂シートの加熱面を反転できる保持アームと、
石膏模型を固定するためのテーブルとを備え、
ヒーター、保持アーム、テーブルの順に、これらが、熱可塑性樹脂シートの加熱面に対して垂直方向に配置され、
保持アームとテーブルとが互いに接近できるように構成された点を要旨とする。【０００８】
本発明の製造装置（２）の特徴は、上記の複層マウスピースを製造するための製造装置であって、
熱可塑性樹脂シートの加熱面を軟化温度まで加熱するためのヒーターと、
熱可塑性樹脂シートを保持したまま加熱面に対して平行な仮想平面上を移動できる保持アームと、
石膏模型を固定するためのテーブルとを備え、
保持アームは、ヒーターと対面する仮想平面上の位置と、テーブルと対面する仮想平面上の位置との間を移動でき、
テーブルと対面する仮想平面上の位置において、保持アームとテーブルとが互いに接近できるように構成された点を要旨とする。
【発明の効果】
【０００９】
本発明の複層マウスピースは、熱可塑性樹脂トレーで歯列を被覆できるため、上下各歯列の全体で咬合できる。そして、本発明の複層マウスピースの歯列側（内側）に擦過刺激シートが積層されているため、本発明の複層マウスピースを用いると、歯肉（または歯列及び歯肉）を均一に擦過刺激できる。【００１０】
本発明の複層マウスピースの製造方法は、上記の積層マウスピースの製造に適しており、上記の積層マウスピースを容易に製造できる。【００１１】
本発明の製造装置（１）又は（２）は、上記の積層マウスピースの製造に適しており、上記の積層マウスピースを容易に製造できる。
【図面の簡単な説明】
【００１２】
【図１】本発明の積層マウスピースの一態様｛上顎歯の欠損に対応して、熱可塑性樹脂トレーに人工歯を配したもの｝を石膏模型に装着させて写した写真である。
【図２】図１の積層マウスピースに対応する上顎歯列（欠損部を含む）を写した写真である。
【図３】本発明の積層マウスピースの一態様｛下顎歯の欠損に対応して、熱可塑性樹脂トレーに人工歯を配したもの｝を石膏模型に装着させて写した写真である。
【図４】図３の積層マウスピースに対応する下顎歯列（欠損部を含む）を写した写真である。
【図５】実施例１で得た複層マウスピース（１）の装着前の上下顎唇面の歯列（患者Ａ）を写した写真である。
【図６】実施例１で得た複層マウスピース（１）の装着約２ヶ月後の上下顎唇面の歯列（患者Ａ）を写した写真である。
【図７】実施例１で得た複層マウスピース（１）の装着前の３６番付近（患者Ａ）を写した写真である。
【図８】実施例１で得た複層マウスピース（１）の装着約２ヶ月後の３６番付近（患者Ａ）を写した写真である。
【図９】実施例２で得た複層マウスピース（２）の装着前の上下顎唇面の歯列（患者Ｂ）を写した写真である。
【図１０】実施例２で得た複層マウスピース（２）の装着約３ヶ月後の上下顎唇面の歯列（患者Ｂ）を写した写真である。
【図１１】印象採得して石膏模型を調製する工程において、印象採得した型の歯肉部分を削って、歯がより多くむき出しになるようにして石膏模型を調製している様子を模式的に表した断面図である（波線部分が削り取った部分である）。
【図１２】ディンプルを形成した型に、熱可塑性樹脂シートを重ねて、加熱・成形して突起付き熱可塑性樹脂シートを得る様子を模式的に表した斜視図である。
【図１３】突起付き熱可塑性樹脂シートを模式的に表した斜視図である。
【図１４】加熱・加圧成形した擦過刺激シート及び熱可塑性樹脂シートに貫通孔をあけた様子を模式的に表した断面図である。
【図１５】加熱・加圧成形した擦過刺激シート及び熱可塑性樹脂シートに貫通孔をあけた後、別の熱可塑性樹脂シートを孔の空いた熱可塑性樹脂シートに重ねて加熱・成形して、熱可塑性樹脂トレーの歯列側に、歯肉及び／又は歯列を直接擦過刺激できるように擦過刺激シートを貫通する突起を設ける様子を模式的に表した断面図である。
【図１６】本発明の製造装置（１）において、ヒーター、保持アーム、テーブルの相対位置及びこれらの動き（動く方向を矢印で示している）を模式的に表した概念図である。
【図１７】本発明の製造装置（２）において、ヒーター、保持アーム、テーブルの相対位置及びこれらの動き（動く方向を矢印で示している）を模式的に表した概念図である。
【図１８】市場から入手できる製造装置（Ｈ１）において、ヒーター、保持アーム、テーブルの相対位置及びこれらの動き（動く方向を矢印で示している）を模式的に表した概念図である。
【図１９】市場から入手できる製造装置（Ｈ２）において、ヒーター、保持アーム、テーブルの相対位置及びこれらの動き（動く方向を矢印で示している）を模式的に表した概念図である。
【図２０】平均的な大きさの石膏模型を用いて作成した本発明の複層マウスピースを模式的に表した斜視図である。
【図２１】本発明の複層マウスピースを歯列及び歯肉に装着した状態を模式的に表した断面図（ａ）、並びにこの状態からさらに咀嚼（タッピング）により上下の歯列を咬み合わせることにより、歯列の頭頂部等に接触する擦過刺激シート及びこの周辺の熱可塑性樹脂トレーが圧縮された状態を模式的に表した断面図（ｂ）である。
【図２２】歯の欠損に対応して熱可塑性樹脂トレーに人工歯を配した本発明の複層マウスピースを模式的に表した斜視図である。
【図２３】図２２の複層マウスピースにおいて、熱可塑性樹脂トレーの歯列側に突起を設けて、擦過刺激シートで歯肉に触れる突起を覆い、歯列の頭頂部と接触する箇所に擦過刺激シートを配置しない例を模式的に表したＡ−Ａ’線断面図である。
【図２４】図２２の複層マウスピースにおいて、熱可塑性樹脂トレーの歯列側に突起を設けて、突起の先端を擦過刺激シートから露出させた例を模式的に表したＡ−Ａ’線断面図である。
【図２５】図２２の複層マウスピースにおいて、Ｂ矢印方向から観察した人工歯付近を模式的に表した部分側面図である。
【図２６】歯列の頭頂部と接触する箇所に擦過刺激シート及び熱可塑性樹脂トレーを設けず、歯の欠損に対応して熱可塑性樹脂トレー人工歯を配した本発明の複層マウスピースを模式的に表した斜視図である。
【発明を実施するための形態】
【００１３】
熱可塑性樹脂トレーは、歯列を被覆できればその形状に制限ないが、歯肉及び歯列の形状に対応した内面形状を有することが好ましい。さらに、歯頸部（歯列と歯肉との境目付近）及び歯肉の一部を覆うことができる形状が好ましく、さらに好ましくは歯頸部から１〜６ｍｍ(好ましくは２〜５ｍｍ、さらに好ましくは３〜４ｍｍ)の歯肉を覆うことである。また、熱可塑性樹脂トレーの形状（咬合移動方向から見た全体の形状）として、歯の欠損の有無にかかわらず、歯列（歯の欠損部は歯肉）に対応したＵ字型が好ましい。なお、歯が欠損している場合、当該箇所は歯肉の形状に対応した内面形状を有することが好ましく、さらに好ましくは歯の欠損に対応して人工歯を配することが好ましい（図１、図３、図２２、図２５、図２６参照）。人工歯を配する場合、熱可塑性樹脂トレーの内面（熱可塑性樹脂トレーと擦過刺激シートとの間）に配してもよく、熱可塑性樹脂トレーの外面に配してもよいが、熱可塑性樹脂トレーの外面に配することが好ましい（いずれにしても人工歯と歯肉が直接的に接触しないことが好ましい。）。また、人工歯を配する場合、咬合したときに、歯列と同じ高さになるように配することが好ましい。すなわち、咬合していないときの人工歯の高さは、歯列よりも僅かに高くなることが好ましい。
【００１４】
歯の欠損に対応して人工歯を配する場合、人工歯は、ポリメチルメタクリレート（ＰＭＭＡ）で構成されたもの等が好ましい。この場合、人工歯は熱可塑性樹脂トレーに接着していることが好ましい。人工歯と熱可塑性樹脂トレーとの接着は、接着剤を用いて接着させてもよいし、熱融着等によって接着させてもよい。これらの接着にはプライマー（両者の接着を補充する物質、たとえば、ポリエチレンシート）を用いてもよい。
【００１５】
熱可塑性樹脂トレーは、上顎用と下顎用とを別々に構成してもよいし、上顎用と下顎用とが一体的に接合されていてもよく、左右片顎だけで構成してもよい。また、熱可塑性樹脂トレーには、口腔内の外部に突き出すことができる持ち手を接続してもよい。
【００１６】
熱可塑性樹脂トレーを構成することができる熱可塑性樹脂としては、加熱成形できる樹脂であれば制限なく、たとえば、エチレン−酢酸ビニル共重合体（ＥＶＡ）、ポリオレフィン（ポリエチレン、ポリプロピレン、ポリブタジエン及びこれらのポリマーを構成する単量体からなる共重合体等）、ポリビニルアセテート（ＰＶＡ）及びポリウレタンエラストマー等が含まれる。これらの樹脂のうち、エチレン−酢酸ビニル共重合体（ＥＶＡ）、ポリオレフィン及びポリウレタンエラストマーが好ましく、さらに好ましくはエチレン−酢酸ビニル共重合体（ＥＶＡ）及びポリオレフィンである。
【００１７】
擦過刺激シートは、各歯列及び歯肉に接触できるように、熱可塑性樹脂トレーの内面に配設されている。擦過刺激シートは、熱可塑性樹脂トレーの内面全体に配設してもよいし（図２４参照）、熱可塑性樹脂トレーの内面の一部に配設してもよい。熱可塑性樹脂トレーの内面の一部に配設する場合、少なくとも歯肉を擦過刺激できるように配設することが好ましい。すなわち、熱可塑性樹脂トレーの歯列の頭頂部と接触する箇所から離れた端部（周縁部）に少なくとも配設することが好ましい（図２３参照）。
【００１８】
擦過刺激シートは、咀嚼（タッピング）等により、歯肉（または歯列及び歯肉）に対して擦過刺激を与えるためのものである（歯肉及び歯列を擦過し、歯肉に擦過刺激を与えると共に、歯列を清掃できるものである。）。擦過刺激シートは、歯肉に対して、過剰な擦過刺激とならなければ形状や材質に制限ないが、発泡樹脂又は不織布から構成されることが好ましく、さらに好ましくは発泡樹脂から構成されること、特に好ましくは連続気泡を有する発泡樹脂から構成されること、最も好ましくは発泡メラミン樹脂、発泡ポリウレタン、発泡ポリオレフィン｛発泡ポリエチレン、発泡ポリプロピレン及び発泡（エチレン−酢酸ビニル）共重合体等｝又は発泡ポリビルアルコールで構成されることである。
【００１９】
擦過刺激シートの厚みは、０．１〜３ｍｍが好ましく、さらに好ましくは０．２〜２ｍｍである。擦過刺激シートの厚みにより、複層マウスピースの動く量（すなわち、移動量）を調整できる。複層マウスピースの移動については後述する。
【００２０】
擦過刺激シートは、熱可塑性樹脂トレーの内側に積層されて一体に構成されているが、擦過刺激シートを取り外し可能に積層してもよい。擦過刺激シートを取り外し可能に積層すると、擦過刺激シートが劣化したり、汚れた場合、新しい擦過刺激シートと交換することができる。
【００２１】
熱可塑性樹脂シート及び／又は擦過刺激シートは弾性体であることが好ましく、さらに好ましくは上記の好ましい材料で構成することである。擦過刺激シートが弾性体であると、咀嚼（タッピング）等により、歯肉（または歯列及び歯肉）がさらに均等に擦過刺激される。すなわち、咀嚼（タッピング）等により上下の歯列を咬み合わせると、歯列の頭頂部に接触する擦過刺激シートや熱可塑性樹脂トレーが圧縮され、複層マウスピース全体が歯列側に移動する（図２１（ｂ）参照）。一方、上下の歯列の咬み合わせを解放することにより、圧縮された擦過刺激シートや熱可塑性樹脂トレーも解放され、元々の厚みに戻り、複層マウスピースが歯列から遠ざかるように移動する（図２１（ａ）参照）。このように複層マウスピースが移動する際、歯列の頭頂部や歯列の側部や歯肉に接触する擦過刺激シートが、歯肉（または歯列及び歯肉）を擦過刺激する。すなわち、本発明の複層マウスピースは、上記のように、歯肉（または歯肉及び歯列）に対して上下動できるため、歯肉（または歯列及び歯肉）を効果的に擦過刺激できる。
【００２２】
熱可塑性樹脂トレーには、歯肉側（または歯肉及び歯列側）に突起を設けることができる。突起を設けると、擦過刺激シートによる歯肉（または歯列及び歯肉）への擦過刺激に加えて、突起が歯肉（または歯列及び歯肉）をさらに強く擦過刺激する。また、突起自身がバネの働きをして、複層マウスピースの移動がさらに容易となる。
【００２３】
突起は、歯肉（または歯肉及び／又は歯列）を直接擦過刺激できるように擦過刺激シートを貫通して設けてもよいし（図２４参照）、突起に擦過刺激シートを覆い被せるように設けてもよい（図２３参照）。
【００２４】
突起の数や位置、大きさは適宜決定できるが、少なくとも突起が歯頸部（歯列と歯肉との境目付近）を擦過刺激できるように突起を設けることが好ましく、さらに好ましくは少なくとも突起が歯間乳頭（歯と歯との間の歯ぐきの部分）を擦過刺激できるように配されていることである。歯頸部を擦過刺激できるように突起を設けると、歯周ポケットをより広げることができるため、歯周ポケット付近の歯肉により擦過刺激を加えることができる他に、この歯周ポケットに後記の薬剤を容易に付与でき（ドラック・リテーナーとして働く）、歯周病等の改善及び予防にさらに効果的である。特に、歯間乳頭に対する擦過刺激は、歯肉がさらに引き締められ、歯周ポケットがさらに小さくなりやすく、嫌気性菌である歯周菌の繁殖を抑制する効果がさらに大きい。
【００２５】
突起の長さは全て同じにする必要はなく、たとえば、歯のトップと、歯頸部において、突起の長さを変更してもよい。たとえば、歯列の頭頂部と接触する箇所に設ける突起の長さを長く、端部（周縁部）に近づく程、突起の長さを短くすることができる（図２３、図２４参照）。
【００２６】
本発明の複層マウスピースは、歯列の頭頂部と接触する箇所の一部又は全部を削除して開口部を設けることができる。歯列の頭頂部と接触する箇所の全部を削除して開口部を設ける場合、少なくとも２個の人工歯を配することが好ましい（図２６参照）。すなわち、歯の欠損がない場合、人工歯を配することができないので、歯列の頭頂部と接触する箇所の全部を削除することは好ましくない。開口部を設けると、複層マウスピースの厚み分だけ両顎を閉じる範囲が制限されることが軽減され、複層マウスピースを装着しない場合と同様に両顎を閉じることができる。なお、開口部を大きくすると、複層マウスピースが大きく移動しすぎて、元の位置に戻りにくくなったりして、擦過刺激シートによる擦過刺激がうまくできなくなる恐れがある。したがって、開口部は歯列の頭頂部の最小限に留めることが好ましい。
【００２７】
本発明の複層マウスピースを咀嚼（タッピング）等により歯肉（または歯列及び歯肉）が擦過刺激されると、歯周病等の予防や治療に効果的であると共に（歯肉に対する擦過刺激は、歯肉が引き締められ、歯周ポケットが小さくなり、嫌気性菌である歯周菌の繁殖を抑制する効果が高い。）、歯列の清掃(歯磨き；歯の表面が清掃され、プラークが取れる)としての効果も奏する。自分で歯ブラシをすることが困難な要介護者であっても、容易に、歯肉（または歯列及び歯肉）を擦過刺激できると共に、歯磨きすることができる。さらに、咀嚼（タッピング）を繰り返すことにより唾液の分泌を促し、咀嚼力の向上にも貢献できる。本発明の複層マウスピースは、要介護者のリハビリテーション用としても適している。
【００２８】
本発明の複層マウスピースは、擦過刺激シートに各種薬剤を含ませることにより、ドラッグ・リテーナー（歯面及び／又は歯肉に薬剤を局所集中輸送するための担体となる歯列トレー）としての効果も奏することができる。
【００２９】
各種薬剤としては、歯科用として通常使用される薬剤（歯磨き剤、フッ素化剤、漂白剤及び殺菌剤等；たとえば、次亜塩素酸水、強酸性水、強アルカリ水、クロルヘキシジン、イソジン、オゾン水及び二酸化塩素水等）が使用できる。これらの薬剤を併用することにより、咀嚼（タッピング）による擦過刺激の効果と共に、長期間に渡り薬剤の効果を保持することができる。
【００３０】
本発明の複層マウスピースは、歯列を被覆するための熱可塑性樹脂トレーと、歯肉（または歯列及び歯肉）に対して擦過刺激を与えるための擦過刺激シートとを積層してなれば製造方法に制限はないが、印象採得して石膏模型を調製する工程と、擦過刺激シートと熱可塑性樹脂シートとを擦過刺激シートが石膏模型に接触するようにして石膏模型に覆い被せて加熱・加圧成形する工程とを含むことが好ましい。
【００３１】
印象採得して石膏模型を調製する工程は、通常の歯科で行われる方法等が適用できる。また、印象採得して得た歯列・歯肉の型のデータから、平均的な大きさの石膏模型を調製することもできる。たとえば、日本人用の石膏模型として、Ｓ、Ｍ、Ｌ等の大きさの石膏模型を調製してもよい。また、平均的な大きさの石膏模型に代えて、金型を調製してもよい。金型を用いる場合、射出成型を利用できる。たとえば、金型に擦過刺激シートを配してから、熱可塑性樹脂を射出成型して、熱可塑性樹脂トレーと擦過刺激シートとを積層する方法等が適用できる。すなわち、本発明の複層マウスピースは、特定の人物用として、印象採取して製造される特注品に限定されず、不特定多数用として、製造される汎用品も含まれる。
【００３２】
平均的な大きさの石膏模型を用いて作成した複層マウスピースを図２０に示した。図２０では、歯頸部に対応する形状や、歯間乳頭に対応する形状等が現れていないが、平均的な形状に対応して、歯頸部に対応する形状や、歯間乳頭に対応する形状に形成してもよい。
【００３３】
印象採得して石膏模型を調製する工程は、印象採得した型の歯肉部分を削って、歯がより多くむき出しになるようにして石膏模型を調製する工程であってもよい（図１１参照：波線部分が削り取った部分）。印象採得した型の歯肉部分を削って、歯がより多くむき出しになるようにして石膏模型を調製すると、結果として、複層マウスピース（特に歯列及び歯肉と接触する部分）の大きさが、印象採得した型と僅かに相違するため、この相違により、歯頸部にさらに擦過刺激を加えることができる。また、この相違は、歯周ポケットをさらに広げることができるため、この歯周ポケットに前記の薬剤を容易に付与でき（ドラック・リテーナーとして働く）、歯周病等の改善及び予防にさらに効果的である。
【００３４】
削る量は、装着者に応じて適宜決定できるが、歯に接触する歯肉の高さ（図１１の矢印部の距離δ）として、０．１〜３ｍｍ程度が好ましく、さらに好ましくは０．２〜２ｍｍ、特に好ましくは０．３〜１ｍｍである。
【００３５】
擦過刺激シートと熱可塑性樹脂シートとを擦過刺激シートが石膏模型に接触するようにして石膏模型に覆い被せて加熱・加圧成形する工程は、擦過刺激シートと熱可塑性樹脂シートとを擦過刺激シートが石膏模型に接触するように石膏模型に覆い被せること以外、スポーツ用マウスガードを製作する方法等が適用できる（たとえば、特開２０１０−２２６８５号公報や「最新３ＤＳ環境  う蝕ステージペリオステージ」、株式会社デンタルダイヤモンド社、２００９年７月１日発行に記載された方法等が参考となる。）。加熱・加圧成形器としては、真空成型器（エアーバックＸＱ、バキュームアダプターＩ型等；山八歯材工業株式会社）、バイオスターシリーズ（ショイデンタル社）及びミニスターシリーズ（ショイデンタル社）等が使用できる。
【００３６】
擦過刺激シートは、平面状であってもよいが、予備成型した擦過刺激立体シート（半円筒をＵ字型に曲げたもの等）や、切れ目を入れたものを用いてもよい。予備成型した擦過刺激立体シート等を用いると、加熱・成型時に、擦過刺激シートにシワができたり、擦過刺激シートの一部分が伸展して薄くなることを防止できる。すなわち、予備成型した擦過刺激立体シート等を用いると、均一な擦過刺激シートをもつ複層マウスピースを得ることができる。
【００３７】
加熱・加圧成形する工程は、あらかじめ熱可塑性樹脂シートの加熱面をヒーターで軟化温度まで加熱した後、石膏模型に覆い被せた擦過刺激シートに熱可塑性樹脂シートの加熱面が接触するようにして、熱可塑性樹脂シートを石膏模型に覆い被せて加圧成形する工程（１）であってもよい。また、加熱・加圧成形する工程は、あらかじめ熱可塑性樹脂シートの加熱面をヒーターで軟化温度まで加熱し、この加熱面に擦過刺激シートを重ね合わせ加圧して複層シートを調製した後、複層シートの擦過刺激シート側が石膏模型に接触するようにして、複層シートを石膏模型に覆い被せて加熱・加圧成形する工程（２）であってもよい。これらのいずれの工程は、加熱・加圧成形できる製造装置の構造や機能に影響を受ける。すなわち、後記の本発明の製造装置や、バイオスターシリーズやミニスターシリーズ（ショイデンタル社製＜ＳＣＨＥＵ−ＤＥＮＴＡＬ  ＧｍｂＨ＞）を使用する場合、上記の工程（１）でも工程（２）でも適用できる。一方、真空成型器（エアーバックＸＱ、バキュームアダプターＩ型等；山八歯材工業株式会社＜YAMAHACHI DENTAL MFG.,CO.＞）を使用する場合、工程（２）を適用することが好ましい。
【００３８】
熱可塑性樹脂シート及び擦過刺激シートは、予め、積層して、積層シートにして用いてもよい。このような積層シートは、上記の工程（２）のようにして得ることができる。また、この積層シートは上記の工程（２）のようにして加熱・加圧成形できる。熱可塑性樹脂シートには突起を設けてあってもよい。
【００３９】
積層シートは、平面状であってもよいが、予備成型した積層立体シート（半円筒をＵ字型に曲げたものや等）や、切れ目を入れたものを用いてもよい。予備成型した積層立体シートを用いると、加熱・成型時に、積層シート（特に擦過刺激シート）にシワができたり、積層シート（特に擦過刺激シート）の一部分が伸展して薄くなることを防止できる。すなわち、予備成型した積層立体シートを用いると、均一な擦過刺激シートをもつ複層マウスピースを容易に得ることができる。
【００４０】
熱可塑性樹脂シートの厚みは、０．５〜３ｍｍが好ましく、さらに好ましくは１〜２ｍｍである。
【００４１】
熱可塑性樹脂シートとしては、突起付き熱可塑性樹脂シートを用いてもよい。突起付き熱可塑性樹脂シートを用いると、熱可塑性樹脂トレーの歯列側に突起を設けた複層マウスピースを容易に製造できる。
【００４２】
突起付き熱可塑性樹脂シートは、突起の数及び位置に対応してディンプルを形成した型を用いて、この型に熱可塑性樹脂シートを重ねて、加熱・成形してもよい（図１２、１３参照）。
【００４３】
突起付き熱可塑性樹脂シートを用いる場合、この突起の位置及び数に対応して擦過刺激シートに貫通孔を空けておいてもよい。そしてこの場合、貫通孔に突起を挿入して、加熱・成型すれば、突起が歯肉及び／又は歯列を直接擦過刺激できる複層マウスピースを製造できる。一方、擦過刺激シートに貫通孔を空けなければ、突起に擦過刺激シートを覆い被せた複層マウスピースを製造できる。また、突起の位置及び数に一部対応して、その他は対応せずに、擦過刺激シートに貫通孔を空けておいてもよい。そしてこの場合、一部の突起が歯肉及び／又は歯列を直接擦過刺激し、他の突起に擦過刺激シートを覆い被せた複層マウスピースを製造できる。
【００４４】
熱可塑性樹脂トレーの歯列側に突起を設けた複層マウスピースは、突起付き熱可塑性樹脂シートを用いて製造することができるが、この方法に限定されず、他の方法等によっても、容易に製造できる。
【００４５】
他の方法としては、たとえば、加熱・加圧成形する工程に引き続いて、擦過刺激シート及び熱可塑性樹脂シートに貫通孔をあけた後（図１４参照）、別の熱可塑性樹脂シートを孔の空いた熱可塑性樹脂シートに重ねて加熱・成形して、熱可塑性樹脂トレーの歯列側に、歯肉及び／又は歯列を直接擦過刺激できるように擦過刺激シートを貫通する突起を設ける工程を含む方法が含まれる（図１５参照）。
【００４６】
加熱・加圧成形する工程に引き続いて、貫通孔を空けて突起を設ける工程において、擦過刺激シート及び熱可塑性樹脂シートに貫通孔を空ける際、石膏模型にも孔を空けることが好ましい。石膏模型の孔は、石膏模型の内部を空洞にしておき、この空洞に貫通するように設けることが好ましい（図１４、１５参照）。そして、別の熱可塑性樹脂シートを孔の空いた熱可塑性樹脂シートに重ねて加熱・成形する際、空洞内を減圧にしてもよい。減圧にすることにより、貫通孔内に軟化した熱可塑性樹脂を圧入しやすくなる。この方法によって形成される突起が所定の長さより長い場合、適宜切断できる。
【００４７】
本発明の複層マウスピースを製造するための製造装置には制限はなく、上記に例示したような加熱・成型できる装置が使用できる。市場から入手できる製造装置以外に、たとえば、以下の様な製造装置が使用できる。
【００４８】
＜製造装置（１）＞
上記の複層マウスピースを製造するための製造装置であって、
熱可塑性樹脂シートの加熱面を軟化温度まで加熱するためのヒーターと、
熱可塑性樹脂シートを保持し、熱可塑性樹脂シートの加熱面を反転できる保持アームと、
石膏模型を固定するためのテーブルとを備え、
ヒーター、保持アーム、テーブルの順に、これらが、熱可塑性樹脂シートの加熱面に対して垂直方向に配置され、
保持アームとテーブルとが互いに接近できるように構成された製造装置（図１６参照）。
【００４９】
ヒーターは、公知の加熱器等が使用でき、シーズヒーター、近赤外線ヒーター、遠赤外線ヒーター及びハロゲンヒーターが含まれる。
【００５０】
保持アームは、加熱時から、成型（冷却を含む）が完了するまで、熱可塑性樹脂シートを保持し、かつ、熱可塑性樹脂シートの加熱面を反転できれば制限はない。なお、反転とは、１８０度反転させることを意味する。
【００５１】
テーブルは、石膏模型を固定できれば制限はない。なお、どんな石膏模型にも対応できるように、テーブル角度を調整できるように構成してもよい。
【００５２】
ヒーター、保持アーム、テーブルは、ヒーター、保持アーム、テーブルの順に、これらが、熱可塑性樹脂シートの加熱面に対して垂直方向に配置されている。そして、保持アームとテーブルとが互いに接近できるように構成されている。保持アームが移動してもよいし、テーブルが移動してもよく、双方が移動して接近してもよい。
【００５３】
＜製造装置（２）＞
上記の複層マウスピースを製造するための製造装置であって、
熱可塑性樹脂シートの加熱面を軟化温度まで加熱するためのヒーターと、
熱可塑性樹脂シートを保持したまま加熱面に対して平行な仮想平面上を移動できる保持アームと、
石膏模型を固定するためのテーブルとを備え、
保持アームの移動前の熱可塑性樹脂シートの加熱面に対して垂直方向にヒーターを配置し、
保持アームの移動後の熱可塑性樹脂シートの加熱面に対して垂直方向にテーブルを配置し、
保持アームの移動後に、保持アームとテーブルとが互いに接近できるように構成されたことを特徴とする製造装置（図１７参照）。
【００５４】
ヒーター及びテーブルは上記と同様である。保持アームは、熱可塑性樹脂シートを保持したまま加熱面に対して平行な仮想平面上を移動できれば制限はない。なお、仮想平面とは、保持アームに保持した熱可塑性樹脂シートの加熱面に対して平行な平面であって、現実には存在しない想像上の平面を意味する。
【００５５】
仮想平面上において、保持アームは、ヒーターと対面する位置と、テーブルと対面する位置との間を移動できる。
なお、ヒーターと対面する位置とは、熱可塑性樹脂シートの加熱面に対して垂直方向にヒーターが存在する仮想平面上の位置を意味する。また、テーブルと対面する位置とは、熱可塑性樹脂シートの加熱面に対して垂直方向にテーブルが存在する仮想平面上の位置を意味する。
【００５６】
テーブルと対面する位置において、保持アームとテーブルとが互いに接近できるように構成されている。保持アームが移動してもよいし、テーブルが移動してもよく、双方が移動して接近してもよい。
【００５７】
本発明の製造装置のヒーター、保持アーム、テーブルの相対位置及びこれらの動きと対比するため、市場から入手できる製造装置（Ｈ１）｛バイオスターシリーズ、ミニスターシリーズ（ショイデンタル社製＜ＳＣＨＥＵ−ＤＥＮＴＡＬ  ＧｍｂＨ＞）；図１８｝及び製造装置（Ｈ２）｛真空成型器（エアーバックＸＱ、バキュームアダプターＩ型等；山八歯材工業株式会社＜YAMAHACHI DENTAL MFG.,CO.＞）；図１９｝のヒーター、保持アーム、テーブルの相対位置及びこれらの動き（動く方向を矢印で示している）を模式的に表した概念図を図１８及び１９に示す。
【００５８】
本発明の複層マウスピースは、通常のマウスガード（ナイトガード、スポーツガード、咬合スプリント、スリープスプリント及び止血床等）としても好適である。ナイトガードやスポーツガード、咬合スプリント、スリープスプリントとして使用した場合、歯牙への負担が軽減される他、歯牙の治療、補綴、充填、破折等により、歯牙の形状が変化してもその変化に追従できるので、長期間の装着ができる。また、止血床として使用した場合、抜歯後の歯茎の形状変化に追従できる他、薬剤の供給もできる。本発明の複層マウスピースは、歯牙及び歯茎を有すればヒト以外の動物（動物園の動物、ペット等）にも適用できる。
【実施例】
【００５９】
＜実施例１＞
歯周病患者Ａ（３９歳、女性）から印象採得して石膏模型を調製した後、加熱加圧成形器｛バイオスターＩＶ型、ショイデンタル社、５．０気圧｝を用いて、石膏模型に擦過刺激シート｛バソテクト、発泡メラミンシート、厚み約１．５ｍｍ、ＢＡＳＦジャパン株式会社、「バソテクト」はビーエーエスエフ  ソシエタス・ヨーロピアの登録商標である。｝を接触するように覆い被せ、さらに、熱可塑性樹脂シート｛バイオプラスト、エチレン−酢酸ビニル共重合体（ＥＶＡ）シート、厚み１．５ｍｍ、ショイデンタル社（ＳＣＨＥＵ−ＤＥＮＴＡＬ  ＧｍｂＨ）製｝を覆い被せて、２２０℃で５０秒間加熱成形してから、６０秒間放冷して、石膏模型から成形シートを外し、不要部分をトリミングして、本発明の複層マウスピース（１）を得た。【００６０】
本発明の複層マウスピース（１）の擦過刺激シート部分に２５０ｐｐｍの次亜塩素酸水溶液を浸透させてから、これを歯周病患者Ａに装着してもらい、毎日１分間、咀嚼（タッピング）することを約２ヶ月間継続してもらった。そして、本発明の複層マウスピース（１）を装着前後の歯周病菌（P. gingivalis）の菌数をＰＣＲ−Ｉｎｖａｄｅｒ法で計測した。その結果を表１に示す。また、本発明の複層マウスピース（１）の装着前及び約２ヶ月装着後の上下顎唇面の歯列及び３６番付近を写した写真を図５〜８に示した。【００６１】
【表１】
2012153765.tif 000003
【００６２】
約２ヶ月間、本発明の複層マウスピース（１）を装着したことにより、歯周病菌を著しく減少させることができた。また、図５と図６とから下顎唇面辺縁歯肉の炎症が著しく軽減し、また、図７と図８とから、３６番と３７番との間の歯肉が消炎していることがわかる。【００６３】
＜実施例２＞
歯周病患者Ｂ（３４歳、女性）から印象採得して石膏模型を調製した後、加熱加圧成形器｛バイオスターＩＶ型、ショイデンタル社、５．０気圧｝を用いて、石膏模型に擦過刺激シート｛バソテクト、発泡メラミンシート、厚み約１．５ｍｍ、ＢＡＳＦジャパン株式会社、「バソテクト」はビーエーエスエフ  ソシエタス・ヨーロピアの登録商標である。｝を接触するように覆い被せ、さらに、熱可塑性樹脂シート｛バイオプラスト、エチレン−酢酸ビニル共重合体（ＥＶＡ）シート、厚み１．５ｍｍ、ショイデンタル社（ＳＣＨＥＵ−ＤＥＮＴＡＬ  ＧｍｂＨ）製｝を覆い被せて、２２０℃で５０秒間加熱成形してから、６０秒間放冷して、石膏模型から成形シートを外し、不要部分をトリミングして、本発明の複層マウスピース（２）を得た。【００６４】
本発明の複層マウスピース（２）の擦過刺激シート部分に２５０ｐｐｍの次亜塩素酸水溶液を浸透させてから、これを歯周病患者Ｂに装着してもらい、毎日１分間、咀嚼（タッピング）することを約３ヶ月間継続してもらった。そして、本発明の複層マウスピース（２）を装着前後の歯周病菌（P. gingivalis）の菌数をＰＣＲ−Ｉｎｖａｄｅｒ法で計測した。その結果を表２に示す。また、本発明の複層マウスピース（２）の装着前及び約３ヶ月装着後の上下顎唇面の歯列を写した写真を図９及び１０に示した。【００６５】
【表２】
2012153765.tif 000004
【００６６】
約３ヶ月間、本発明の複層マウスピース（２）を装着したことにより、歯周病菌を著しく減少させることができた。また、図９と図１０とから下顎唇面辺縁歯肉の炎症が著しく軽減していることがわかる。【００６７】
＜実施例３＞
歯周病患者Ｃ（３８歳、女性）から印象採得して石膏模型を調製した後、加熱加圧成形器｛バイオスターＩＶ型、ショイデンタル社、５．０気圧｝を用いて、石膏模型に擦過刺激シート｛バソテクト、発泡メラミンシート、厚み約１．５ｍｍ、ＢＡＳＦジャパン株式会社、「バソテクト」はビーエーエスエフ  ソシエタス・ヨーロピアの登録商標である。｝を接触するように覆い被せ、さらに、熱可塑性樹脂シート｛バイオプラスト、エチレン−酢酸ビニル共重合体（ＥＶＡ）シート、厚み１．５ｍｍ、ショイデンタル社（ＳＣＨＥＵ−ＤＥＮＴＡＬ  ＧｍｂＨ）製｝を覆い被せて、２２０℃で５０秒間加熱成形してから、６０秒間放冷して、石膏模型から成形シートを外し、不要部分をトリミングして、本発明の複層マウスピース（３）を得た。【００６８】
本発明の複層マウスピース（３）の擦過刺激シート部分に２５０ｐｐｍの次亜塩素酸水溶液を浸透させてから、これを歯周病患者Ｃに装着してもらい、毎日１分間、咀嚼（タッピング）することを約４ヶ月間継続してもらった。そして、本発明の複層マウスピース（３）を装着前後の歯周病菌（P. gingivalis）の菌数をＰＣＲ−Ｉｎｖａｄｅｒ法で計測した。その結果を表３に示す。【００６９】
【表３】
2012153765.tif 000005
【００７０】
約４ヶ月間、本発明の複層マウスピース（３）を装着したことにより、歯周病菌を著しく減少させることができた。
【符号の説明】
【００７１】
１  石膏模型
２  熱可塑性樹脂シート
３  ディンプルを形成した型
４  突起
５  熱可塑性樹脂トレー
６  擦過刺激シート
７  貫通孔
８  空洞
９  ヒーター
１０  保持アーム
１１  テーブル
１２  歯肉
１３  歯
１４  人工歯
１５  プライマー（ポリエチレンシート）
【図１１】
2012153765.tif 000006
【図１２】
2012153765.tif 000007
【図１３】
2012153765.tif 000008
【図１４】
2012153765.tif 000009
【図１５】
2012153765.tif 000010
【図１６】
2012153765.tif 000011
【図１７】
2012153765.tif 000012
【図１８】
2012153765.tif 000013
【図１９】
2012153765.tif 000014
【図２０】
2012153765.tif 000015
【図２１】
2012153765.tif 000016
【図２２】
2012153765.tif 000017
【図２３】
2012153765.tif 000018
【図２４】
2012153765.tif 000019
【図２５】
2012153765.tif 000020
【図２６】
2012153765.tif 000021
【図１】
2012153765.tif 000022
【図２】
2012153765.tif 000023
【図３】
2012153765.tif 000024
【図４】
2012153765.tif 000025
【図５】
2012153765.tif 000026
【図６】
2012153765.tif 000027
【図７】
2012153765.tif 000028
【図８】
2012153765.tif 000029
【図９】
2012153765.tif 000030
【図１０】
2012153765.tif 000031
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
歯列を被覆するための熱可塑性樹脂トレーと、
歯肉に対して擦過刺激を与えるための擦過刺激シートと
を積層してなることを特徴とする複層マウスピース。
【請求項２】
擦過刺激シートが発泡樹脂又は不織布から構成される請求項１に記載の複層マウスピース。
【請求項３】
擦過刺激シートが連続気泡を有する発泡樹脂から構成される請求項１に記載の複層マウスピース。
【請求項４】
発泡樹脂が発泡メラミン樹脂、発泡ウレタン、発泡ポリオレフィン又は発泡ポリビルアルコールである請求項３に記載の複層マウスピース。
【請求項５】
熱可塑性樹脂がエチレン−酢酸ビニル共重合体（ＥＶＡ）である請求項１〜４のいずれかに記載の複層マウスピース。
【請求項６】
歯の欠損に対応して、熱可塑性樹脂トレーに人工歯を配してなる請求項１〜５のいずれかに記載の複層マウスピース。
【請求項７】
擦過刺激シートに薬剤を含ませて、ドラッグ・リテーナー用とした請求項１〜６のいずれかに記載の複層マウスピース。
【請求項８】
上顎の歯列を被覆するための熱可塑性樹脂トレーと、下顎の歯列を被覆するための熱可塑性樹脂トレーとが接合して構成される請求項１〜７のいずれかに記載の複層マウスピース。
【請求項９】
熱可塑性樹脂トレーの歯列側に突起を設けた請求項１〜８のいずれかに記載の複層マウスピース。
【請求項１０】
突起が歯肉及び／又は歯列を直接擦過刺激できるように擦過刺激シートを貫通して設けられた請求項９に記載の複層マウスピース。
【請求項１１】
突起が歯間乳頭を擦過刺激できるように配された請求項９又は１０に記載の複層マウスピース。
【請求項１２】
請求項１〜１１のいずれかに記載された複層マウスピースを製造する方法であって、
印象採得して石膏模型を調製する工程と、
擦過刺激シートと熱可塑性樹脂シートとを擦過刺激シートが石膏模型に接触するようにして石膏模型に覆い被せて加熱・加圧成形する工程とを含むことを特徴とする複層マウスピースの製造方法。
【請求項１３】
加熱・加圧成形する工程が、
あらかじめ熱可塑性樹脂シートの加熱面をヒーターで軟化温度まで加熱した後、
石膏模型に覆い被せた擦過刺激シートに熱可塑性樹脂シートの加熱面が接触するようにして、熱可塑性樹脂シートを石膏模型に覆い被せて加圧成形する工程である請求項１２に記載の複層マウスピースの製造方法。
【請求項１４】
加熱・加圧成形する工程が、
あらかじめ熱可塑性樹脂シートの加熱面をヒーターで軟化温度まで加熱し、この加熱面に擦過刺激シートを重ね合わせ加圧して複層シートを調製した後、
複層シートの擦過刺激シート側が石膏模型に接触するようにして、複層シートを石膏模型に覆い被せて加熱・加圧成形する工程である請求項１２に記載の複層マウスピースの製造方法。
【請求項１５】
印象採得して石膏模型を調製する工程が、
印象採得した型の歯肉部分を削って、歯列がより多くむき出しになるようにして石膏模型を調製する工程である請求項１２〜１４のいずれかに記載の複層マウスピースの製造方法。
【請求項１６】
熱可塑性樹脂シートとして、突起付き熱可塑性樹脂シートを用いる請求項１２〜１４のいずれかに記載の複層マウスピースの製造方法。
【請求項１７】
加熱・加圧成形する工程に引き続いて、
擦過刺激シート及び熱可塑性樹脂シートに貫通孔をあけた後、
別の熱可塑性樹脂シートを、孔の空いた熱可塑性樹脂シートに重ねて加熱・成形して、
熱可塑性樹脂トレーの歯列側に、歯肉及び／又は歯列を直接擦過刺激できるように擦過刺激シートを貫通する突起を設ける工程を含む請求項１２〜１５のいずれかに記載の複層マウスピースの製造方法。
【請求項１８】
請求項１〜１１のいずれかに記載された複層マウスピースを製造するための製造装置であって、
熱可塑性樹脂シートの加熱面を軟化温度まで加熱するためのヒーターと、
熱可塑性樹脂シートを保持し、熱可塑性樹脂シートの加熱面を反転できる保持アームと、
石膏模型を固定するためのテーブルとを備え、
ヒーター、保持アーム、テーブルの順に、これらが、熱可塑性樹脂シートの加熱面に対して垂直方向に配置され、
保持アームとテーブルとが互いに接近できるように構成されたことを特徴とする製造装置。
【請求項１９】
請求項１〜１１のいずれかに記載された複層マウスピースを製造するための製造装置であって、
熱可塑性樹脂シートの加熱面を軟化温度まで加熱するためのヒーターと、
熱可塑性樹脂シートを保持したまま加熱面に対して平行な仮想平面上を移動できる保持アームと、
石膏模型を固定するためのテーブルとを備え、
保持アームは、ヒーターと対面する仮想平面上の位置と、テーブルと対面する仮想平面上の位置との間を移動でき、
テーブルと対面する仮想平面上の位置において、保持アームとテーブルとが互いに接近できるように構成されたことを特徴とする製造装置。
【請求項２０】
請求項１〜１１のいずれかに記載された複層マウスピースを製造するための擦過刺激立体シートであって、
擦過刺激シートを予備成型したことを特徴とする擦過刺激立体シート。
【請求項２１】
請求項１〜１１のいずれかに記載された複層マウスピースを製造するための積層シートであって、
熱可塑性樹脂シート及び擦過刺激シートを積層してなることを特徴とする積層シート。
【請求項２２】
請求項２１に記載の積層シートを予備成型したことを特徴とする積層立体シート。
【国際調査報告】
2012153765.tif 000032
2012153765.tif 000033
2012153765.tif 000034
2012153765.tif 000035